(57)【要約】【課題】複数ユーザから同じ情報を提供してもらうことで個々の情報の正当性を判断する情報収集システムを提供する。【解決手段】情報収集システムは、情報収集装置１０１と、情報提供装置１０２ａ〜１０２ｃと、店舗１０３から構成される。情報提供装置１０２ａは操作手段１１１より入力した提供情報と、記録手段１１０に記録されたユーザ情報と、店舗１０３から受信した店舗情報を送信情報として情報収集装置に送信する。情報収集装置は情報提供装置から受信した情報をメモリ１０６に一時記録する。そして、店舗情報と価格情報が同じである送信情報を複数受信したら情報記録手段１０７に記録し、その送信情報を提供してくれたユーザに付加価値情報を送信する。【選択図】図１
2007087277.tif 000002
【特許請求の範囲】
【請求項１】
情報提供装置と前記情報提供装置が送信する送信情報を受信する情報収集装置とを備えた情報収集システムであって、
前記送信情報は、ユーザの特徴を表すユーザ情報と、前記ユーザが前記情報収集装置に提供する提供情報と、前記提供情報に関連した店舗の特徴を表す店舗情報とを含み、
前記情報収集装置は、前記情報提供装置と通信を行う第一通信手段と、前記送信情報を一時記録するメモリと、情報記録手段と、記録情報を前記送信情報に基づいて生成して前記情報記録手段に記録する制御手段とを具備し、
前記記録情報は、特定条件を満たした場合に生成され、
前記制御手段は、前記記録情報が生成された後に、前記記録情報の生成に利用した送信情報を提供したユーザに付加価値情報を送信し、
前記情報提供装置は、前記情報収集装置と通信を行い、更に、前記店舗から前記店舗情報を受信する第二通信手段と、前記送信情報の送信指示および前記提供情報を入力する操作手段と、前記ユーザ情報を記録しており、更に、前記付加価値情報を記録する記録手段とを具備する、情報収集システム。
【請求項２】
前記情報収集装置は複数の情報提供装置から前記送信情報を受信し、
前記特定条件は、前記メモリに前記店舗情報と前記提供情報が同じ情報である前記送信情報が一定数記録されることである、請求項１に記載の情報収集システム。
【請求項３】
前記情報提供装置は、移動体に設置され、前記店舗が位置する地点からある一定距離以内に位置する場合に前記店舗情報を前記店舗から受信する、請求項１に記載の情報収集システム。
【請求項４】
前記制御手段は、前記送信情報に前記店舗情報が含まれていない場合は、前記メモリへの一時記録を行わない、請求項３に記載の情報収集システム。
【請求項５】
前記情報提供装置は、更に、通信制御手段を具備し、
前記通信制御手段は、前記記録手段に記録された履歴情報に基づいて前記送信情報を送信するか否かの判断を行い、
前記履歴情報は、前記情報提供装置が過去に送信した送信情報の履歴を表すものであり、更に、前記過去に送信した送信情報に対応した付加価値情報を受信したか否かの情報を含む、請求項４に記載の情報収集システム。
【請求項６】
情報提供装置から送信される送信情報を受信する情報収集装置であって、
前記情報提供装置と通信を行う通信手段と、前記送信情報を一時記録するメモリと、情報記録手段と、前記情報記録手段に記録する記録情報を前記送信情報に基づいて生成して前記情報記録手段に記録する制御手段とを具備し、
前記記録情報は、少なくとも一部の情報が同じである前記送信情報が前記メモリに一定数記録されることにより生成され、
前記制御手段は、前記記録情報が生成された後に、前記記録情報の生成に利用した送信情報を提供したユーザに付加価値情報を送信する、情報収集装置。
【請求項７】
情報収集装置に、ユーザの特徴を表すユーザ情報と、前記ユーザが前記情報収集装置に提供する提供情報と、前記提供情報に関連した店舗の特徴を表す店舗情報とを含む送信情報を送信し、更に、前記情報収集装置から送信された付加価値情報を受信する情報提供装置であって、
前記情報収集装置と通信を行い、更に、前記店舗から前記店舗情報を受信する通信手段と、前記送信情報の送信指示および前記提供情報を入力する操作手段と、前記ユーザ情報を記録しておき、更に、前記付加価値情報を記録する記録手段と、制御手段を具備し、
前記制御手段は、前記記録手段に記録された履歴情報に基づいて前記送信情報を送信するか否かの判断を行い、
前記履歴情報は、前記情報提供装置が過去に送信した送信情報の履歴を表すものであり、更に、前記過去に送信した送信情報に対応した前記付加価値情報を受信したか否かの情報を含む、情報提供装置。
【発明の詳細な説明】
【技術分野】
【０００１】
本発明は、情報提供装置と、情報提供装置が送信する送信情報を収集する情報収集装置と、それらを備えた情報収集システムに関するものである。
【背景技術】
【０００２】
インターネットや携帯電話の通信機能を利用してユーザから情報を収集するシステムがある。このシステムでは、例えば、製品に関する評価や意見をユーザアンケートという形態で収集し、その後の製品開発に活用するというものである。
【０００３】
一方、車社会ではプローブカーシステムというものがある。このシステムでは、例えば、車両から位置情報や速度情報を収集し、複数の車両の情報から渋滞状況を推測するというものである。
【０００４】
ユーザアンケートは、基本的には手動で情報を入力するものであり、ユーザにとっては煩わしい処理となってしまう。これを改善し、ユーザに情報収集のための入力を促す方法が提案されている（例えば特許文献１参照）。
【０００５】
特許文献１の顧客情報収集システムでは、製品に関する付加情報が製品と一緒に販売され、顧客情報を提供してくれたユーザだけがその付加情報を閲覧することができる。このシステムにより、ユーザに対して付加情報がインセンティブとして働くようにし、顧客情報を提供するように促すことができる。
【特許文献１】特開２００１−３０６７８０号公報
【発明の開示】
【発明が解決しようとする課題】
【０００６】
例えば、ガソリンスタンドの価格情報を情報収集装置で収集し、情報収集装置が地域にあるガソリンスタンドの現在の価格情報をＷｅｂのホームページなどで提供するシステムを想定する。このシステムでは、例えば、情報提供したユーザは付加価値情報としてそのガソリンスタンドの洗車割引券などをもらうことができる。
【０００７】
しかしながら、従来の顧客情報収集システムを適応する場合、顧客の正当性がわからない、という問題があった。つまり、付加価値情報を得たいが故に、悪意あるユーザが不正な情報を提供した場合に、その情報が正しいものか否かを知ることができなかった。
【０００８】
本発明は、従来の問題を解決するためになされたもので、複数ユーザから同じ情報を提供してもらうことで個々の情報の正当性を判断することのできる情報収集システムを提供することを目的とする。
【課題を解決するための手段】
【０００９】
前記従来の課題を解決するために、本発明の情報収集システムは、情報提供装置と情報提供装置が送信する送信情報を受信する情報収集装置とを備えた情報収集システムであって、送信情報は、ユーザの特徴を表すユーザ情報と、ユーザが情報収集装置に提供する提供情報と、提供情報に関連した店舗の特徴を表す店舗情報とを含み、情報収集装置は、情報提供装置と通信を行う第一通信手段と、送信情報を一時記録するメモリと、情報記録手段と、記録情報を送信情報に基づいて生成して情報記録手段に記録する制御手段とを具備し、記録情報は、特定条件を満たした場合に生成され、制御手段は、記録情報が生成された後に、記録情報の生成に利用した送信情報を提供したユーザに付加価値情報を送信し、情報提供装置は、情報収集装置と通信を行い、更に、店舗から店舗情報を受信する第二通信手段と、送信情報の送信指示および提供情報を入力する操作手段と、ユーザ情報を記録しており、更に、付加価値情報を記録する記録手段とを備えた構成を有している。
【００１０】
この構成により、特定条件を満たすことで情報の正当性を判断し、正当な情報を送信してくれたユーザにのみ付加価値情報を提供することができる。
【００１１】
また、情報収集装置は複数の情報提供装置から送信情報を受信し、特定条件は、メモリに店舗情報と提供情報が同じ情報である送信情報が一定数記録されることを条件とする。
【００１２】
この構成により、複数の同じ情報を受信することで情報の正当性を判断することができる。
【００１３】
また、、情報提供装置は、移動体に設置され、店舗が位置する地点からある一定距離以内に位置する場合に店舗情報を店舗から受信する。
【００１４】
この構成により、店舗情報のない送信情報は不正な情報であると判断することができる。
【００１５】
さらに、制御手段は、送信情報に店舗情報が含まれていない場合は、メモリへの一時記録を行わない。
【００１６】
この構成により、店舗情報がないため不正な情報であると判断した送信情報を無駄にメモリに記録することを防ぐことができる。
【００１７】
さらに、情報提供装置は、更に、通信制御手段を具備し、通信制御手段は、記録手段に記録された履歴情報に基づいて送信情報を送信するか否かの判断を行い、履歴情報は、情報提供装置が過去に送信した送信情報の履歴を表すものであり、更に、過去に送信した送信情報に対応した付加価値情報を受信したか否かの情報を含む。
【００１８】
この構成により、既に送信した送信情報を再送信することを防ぐことができる。
【００１９】
また、本発明の情報収集装置は、情報提供装置から送信される送信情報を受信する情報収集装置であって、情報提供装置と通信を行う通信手段と、送信情報を一時記録するメモリと、情報記録手段と、情報記録手段に記録する記録情報を送信情報に基づいて生成して情報記録手段に記録する制御手段とを具備し、記録情報は、少なくとも一部の情報が同じである送信情報がメモリに一定数記録されることにより生成され、制御手段は、記録情報が生成された後に、記録情報の生成に利用した送信情報を提供したユーザに付加価値情報を送信する構成を有している。
【００２０】
この構成により、複数の同じ情報を受信することで情報の正当性を判断し、正当な情報を送信してくれたユーザにのみ付加価値情報を提供することができる。
【００２１】
また、本発明の情報提供装置は、情報収集装置に、ユーザの特徴を表すユーザ情報と、ユーザが情報収集装置に提供する提供情報と、提供情報に関連した店舗の特徴を表す店舗情報とを含む送信情報を送信し、更に、情報収集装置から送信された付加価値情報を受信する情報提供装置であって、情報収集装置と通信を行い、更に、店舗から店舗情報を受信する通信手段と、送信情報の送信指示および提供情報を入力する操作手段と、ユーザ情報を記録しておき、更に、付加価値情報を記録する記録手段と、制御手段を具備し、制御手段は、記録手段に記録された履歴情報に基づいて送信情報を送信するか否かの判断を行い、履歴情報は、情報提供装置が過去に送信した送信情報の履歴を表すものであり、更に、過去に送信した送信情報に対応した付加価値情報を受信したか否かの情報を含む、構成を有している。
【００２２】
この構成により、既に送信した送信情報を再送信することを防ぐことができる。
【発明の効果】
【００２３】
本発明は、特定条件を満たすことで情報の正当性を判断し、正当な情報を送信してくれたユーザにのみ付加価値情報を提供することができるという効果を有する情報収集システムを提供することができる。
【発明を実施するための最良の形態】
【００２４】
以下、本発明の実施形態の情報収集システムについて、図面を用いて説明する。
【００２５】
本発明の実施形態のシステム構成図を図１に示す。
【００２６】
図１において、情報収集装置１０１は、第一通信手段１０４、制御手段１０５、メモリ１０６、情報記録手段１０７から構成される。１０２ａ〜１０２ｃは情報提供装置で、第二通信手段１０８、通信制御手段１０９、記録手段１１０、操作手段１１１から構成される。図１では１０２ａのみ構成を示しているが、１０２ｂ、１０２ｃにおいても同様の構成をしているものとする。情報提供装置１０２ａ〜１０２ｃは移動体、例えば、車に設置される。１０３は店舗であり、例えば、ガソリンスタンドである。店舗１０３は通信手段を持っており（図示せず）、情報提供装置１０２ａ〜１０２ｃそれぞれと通信可能である。
【００２７】
情報収集装置１０１は情報提供装置１０２ａ〜１０２ｃと通信を行う。この際、通信処理は第一通信手段１０４と第二通信手段１０８で行われる。この通信は、例えば、インターネットを用いた無線通信である。制御手段１０５は、第一通信手段１０４が情報提供装置１０２ａ〜１０２ｃから受信した情報をメモリ１０６に一時記録し、適切なタイミングで情報記録手段１０７に記録する。ここで情報記録手段１０７は、例えば、ＨＤＤ（Ｈａｒｄ  Ｄｉｓｋ  Ｄｒｉｖｅ）である。また、情報記録手段１０７には提供情報を送信してくれたユーザに対する付加価値情報、例えば、店舗１０３で利用できる洗車割引券（電子データ）が記録されている。制御手段１０５は付加価値情報の送信タイミングになると付加価値情報を情報記録手段１０７から読み出し、第一通信手段１０４を経て情報提供装置１０２ａ〜１０２ｃへ送信する。
【００２８】
情報提供装置１０２ａでは、ユーザが操作手段１１１より提供情報を入力する。本実施形態では、提供情報はガソリンの価格情報であるとする。操作手段１１１は、例えば、リモコンである。入力された価格情報は、記録手段１１０に記録されているユーザ情報と店舗１０３から受信する店舗情報とともに第二通信手段１０８を経て情報収集装置１０１に送信される。また、情報収集装置１０１から送信された付加価値情報を第二通信手段１０８で受信し、記録手段１１０に記録する。これらの処理の制御を通信制御手段１０９が行う。なお、情報提供装置１０２ｂ、情報提供装置１０２ｃにおいても同様の処理が行われる。以後の説明においても同様で、本発明の実施例では情報提供装置１０２ａについての説明のみ行い、情報提供装置１０２ｂ、情報提供装置１０２ｃの動作の説明については割愛する。
【００２９】
店舗１０３は情報提供装置１０２ａと通信可能で、情報提供装置１０２ａから店舗情報の送信要求があったときに店舗情報を送信する。なお、店舗１０３と情報提供装置１０２ａとの通信は、例えば、赤外線通信を用いたＤＳＲＣ（Ｄｅｄｉｃａｔｅｄ  Ｓｈｏｒｔ  Ｒａｎｇｅ  Ｃｏｍｍｕｎｉｃａｔｉｏｎ）で行われる。ＤＳＲＣのように限られた通信エリアでしか通信できない方式を用いることにより、ユーザは店舗１０３付近にいないと店舗情報を受信することができない。このようにすることで、店舗１０３に行っていない遠隔地にいるユーザは価格情報を送信することができなくなり、実際に店舗１０３に行った（もしくは通過した）ユーザ、すなわち、店舗１０３で価格を直接確認したユーザだけが店舗情報を受信でき、情報収集装置１０１はより信頼性の高い情報のみを収集することができるようになる。なお、図１では店舗を店舗１０３のみとしているが、複数の同種の店舗（例えば、複数のガソリンスタンド）、がシステムに含まれ、それぞれが情報提供装置１０２ａと通信可能である。
【００３０】
図２は、情報提供装置１０２ａにおける価格情報送信処理のフロー図である。以下に、図２のフロー図を用いて価格情報送信処理の動作の詳細を説明する。
【００３１】
まず、ユーザが操作手段１１１より価格情報の送信指示を行う（ステップＳ２０１）。この処理は、例えば、リモコンに操作指示のボタンを押下するとする。あるいは、表示手段（図示せず）に表示されるメニューから選択するとしてもよい。
【００３２】
次に、価格情報送信指示を受信した通信制御手段１０９は、記録手段１１０に記録されているユーザ情報を読み込む（ステップ２０２）。ここでユーザ情報とは、ユーザを識別するためのものであり、例えば、ユーザの名前や連絡先の情報が含まれている。
【００３３】
次に、店舗１０３から店舗情報を取得する（ステップＳ２０３）。具体的には、通信制御手段１０９が第二通信手段１０８を経て店舗１０３へ店舗情報要求指示を送信し、店舗情報要求指示を受信した店舗１０３が情報提供装置１０２ａへ店舗情報を送信する。ここで店舗情報とは、店舗を識別するためのものであり、例えば、店舗名（ＩＤなどでもよい）や位置情報が含まれている。なお、ステップＳ２０２とステップＳ２０３は処理の順序が入れ替わってもよい。
【００３４】
次に、ユーザは操作手段１１１より価格情報を入力する（ステップＳ２０４）。この処理を行う際には、例えば、表示手段（図示せず）に入力用の画面を表示して行う。
【００３５】
そして、現在、付加価値情報の受信待ち状態であるか否かを確認する（ステップＳ２０５）。付加価値情報の受信待ち状態とは、同じ店舗で同じ価格情報を過去に送信したが、その情報が正当であるという判断を情報収集装置１０１にされていないため、付加価値情報が送信されてきていないという状態のことである。これは、例えば、情報提供装置１０２ａが情報収集装置１０１に送信した情報の履歴情報を記録手段１１０に記録しておき、付加価値情報を受信したか否かの情報についてもその履歴情報に記録しておく。したがって、通信制御手段１０９はこの履歴情報を確認することで、ユーザが送信しようとしている情報が付加価値情報受信待ちであるか否かを判断することができる。ステップＳ２０５で付加価値情報受信待ちでないと判断された場合はステップＳ２０６へ進み、付加価値情報受信待ちであると判断された場合は、ステップＳ２０７へ進む。
【００３６】
ステップＳ２０６では、記録手段１１０から読み出したユーザ情報、店舗１０３から受信した店舗情報、操作手段１１１から入力された価格情報を送信情報として送信する。具体的には、通信制御手段１０９が第二通信手段１０８へ送信情報の送信指示を出すことによりなされる。
【００３７】
ステップＳ２０５で、付加価値情報受信待ちと判断された場合は、送信情報の送信ができないということをユーザに通知する（ステップＳ２０７）。これは、例えば、表示手段（図示せず）に表示してもよいし、あるいは、スピーカ（図示せず）から音声案内してもよい。
【００３８】
以上、説明した動作に従って価格情報送信処理が行われる。
【００３９】
次に、図３は情報収集装置１０１における価格情報記録処理のフロー図である。以下に、図３のフロー図を用いて価格情報記録処理の動作の詳細を説明する。
【００４０】
まず、情報提供装置１０２ａから価格情報を受信する（ステップＳ３０１）。なお、価格情報の受信は任意のタイミングで行われる。
【００４１】
次に、店舗情報が価格情報とともに送られてきているかを確認する（ステップＳ３０２）。ここで、店舗情報がないものは不正な情報であるということである。店舗情報が送られてきてる場合は、ステップＳ３０３へ進む。そうでない場合は、ステップＳ３０８へ進む。
【００４２】
ステップＳ３０２で店舗情報が送られてきている場合は、受信した情報をメモリ１０６へ保存する（ステップＳ３０３）。このとき、メモリ１０６には、例えば、図４に示すようなリストとして情報を記録する。
【００４３】
図４は、メモリ１０６に一時保存される受信情報リスト４０１の一例である。受信情報リスト４０１は、例えば、４０２〜４０６の項目から構成される。４０２は店舗名であり、これは受信した店舗情報に含まれている。なお、店舗名はＩＤで表現してもよい。４０３は受信した価格情報である。ここでは１リットルあたりの価格を表示している。４０４は情報を送信してきたユーザ名を表している。なお、ユーザ名はＩＤで表現してもよい。４０５はユーザの連絡先として、例えば、送信先アドレスを記録する。ユーザ名４０４と送信先アドレス４０５はユーザ情報に含まれている。４０６は情報を受信した日時である。
【００４４】
ステップＳ３０３の後、制御手段１０５は店舗情報と価格情報が同じであるものが受信情報リスト４０１にある一定数（しきい値）あるか否かを確認する（ステップＳ３０４）。ここでしきい値は、例えば、３とする。つまり、店舗情報と価格情報が同じものが３個あるか否かを確認する。ここで、ＮＯの場合は、ステップＳ３０１に戻り、同様の処理を繰り返す。ＹＥＳの場合はステップＳ３０５へ進む。
【００４５】
ステップＳ３０５では、ステップＳ３０４でＹＥＳとなった店舗情報と価格情報が同じであるものを情報記録手段１０７へ記録する。このとき情報記録手段には、例えば、店舗名と価格情報を記録する。
【００４６】
次に、ステップＳ３０５で情報記録手段１０７へ記録された店舗情報と価格情報を提供してくれたユーザに付加価値情報を送信する（ステップＳ３０６）。具体的には、情報記録手段１０７から読み出した付加価値情報を、送信先アドレス４０４に記録されている該当ユーザの送信先アドレスに送信する。
【００４７】
そして、付加価値情報を送信した後、そのユーザが提供してくれた情報を受信情報リスト４０１から削除する（ステップＳ３０７）。つまり、受信情報リスト４０１から、関連する行を削除する。
【００４８】
なお、ステップＳ３０２で、店舗情報がないものであると判断された場合は、その情報が不正なものであると判断したということであるので、そのまま破棄する（ステップＳ３０８）。
【００４９】
以上により、価格情報記録処理を行う。店舗情報の有無を確認することで、ユーザが実際に店舗で確かめた情報であるかどうかを判断できる。また、付近を通っただけで、価格を確認せずに価格情報を送信してきた場合（つまり、店舗情報は受信したが、価格情報が正しくないもの）も、複数の同店舗の同じ価格情報を受信するまで情報記録手段１０７には記録されず、また、ユーザに付加価値情報の送信も行わない。したがって、正当な情報を提供してくれたユーザの情報のみ情報記録手段１０７に反映され、また、正当な情報を提供してくれたユーザのみ付加価値情報を受信することができる。
【００５０】
情報記録手段１０７に記録された情報は、例えば、情報収集装置１０１がＷｅｂページなどで情報を公開し、一般ユーザが各地のガソリンスタンドの価格を参照することができるようにする。
【００５１】
図４を用いて、ステップＳ３０５以降の処理について詳細を説明する。受信情報４０１において、店舗‘ＧＳ００１’の情報は３個あるが、それらすべて価格情報が‘１２５円／リットル’となっている。したがって、この情報は情報記録手段１０７へ記録される。そして、この情報を提供してくれた‘ＡＡＡ’，‘ＢＢＢ’，‘ＣＣＣ’には付加価値情報が提供される。
【００５２】
店舗‘○○石油００２’の情報は２個しかないので、この時点では情報記録手段１０７には記録されない。次に、店舗が‘○○石油００２’で、且つ、価格情報が‘１２７円／リットル’である情報を受信したときに情報記録手段１０７へ記録される。
【００５３】
店舗‘△△興業００３’の情報は３個ある。しかし、価格情報が‘１１２円／リットル’ものが１個と、価格情報が‘１２８円／リットル’のものが２個ある。したがって、どちらかの情報が不正な情報であると判断される。この後、店舗が‘△△興業’で価格情報が‘１１２円／リットル’という情報を２個受信した場合、あるいは、価格情報が‘１２８円／リットル’という情報を１個受信した場合に情報記録手段１０７へ記録される。
【００５４】
以上、説明した本実施形態の情報収集システムにより、正当な情報を提供してくれたユーザにのみ付加価値情報を提供することができる。このシステムにより、ユーザは正当な提供情報を送信することで付加価値情報を得ることができ、また、複数ユーザから収集した各地のガソリンスタンドの価格情報を参考することができるようになる。一方、店舗情報を提供するガソリンスタンドにおいても、不正な情報を公開されることがなくなり、また、付加価値情報をユーザに提供することで、来店を促すことができる。このように、ユーザとガソリンスタンドと双方にとって有益なシステムを実現できる。
【００５５】
なお、本システムでは店舗をガソリンスタンドとし、提供情報を価格情報として説明したが、これに限られたものではない。他の店の商品についての価格情報であってもよい。あるいは、価格情報以外の提供情報にも応用可能である。
【００５６】
また、情報収集装置は受信情報を一時記憶するためのメモリを備える構成としたが、これに限られたものではない。情報記録手段の領域の一部を利用してもよい。
【００５７】
また、情報記録手段はＨＤＤとしたが、これに限られたものではない。他の記録媒体であっても同様のシステムを構築することができる。
【００５８】
また、図１において情報提供装置は３台としたが、これに限られたものではない。多数の情報提供装置を備えていてもよい。
【００５９】
また、情報提供装置は車に設置されるとしたが、これに限られたものではない。携帯電話など他の移動可能な機器であってもよい。
【００６０】
また、第二通信手段は情報収集装置および店舗と通信をするとしたが、それぞれに対して専用で通信手段を備える構成としてもよい。
【００６１】
また、操作手段はリモコンとしたが、これに限られたものではない。マイクを備えて、音声入力としてもよい。あるいは、表示手段（図示せず）と統合してタッチパネルモニタとしてもよい。
【００６２】
また、価格情報は操作手段から入力するとしたが、これに限られたものではない。例えば、店舗から自動的に送信され、それを情報提供装置が受信するとしてもよい。
【００６３】
また、店舗情報は、価格情報送信処理の中で、店舗に送信要求を送信してから得るとしたが、これに限られたものではない。店舗の付近を通ったときに自動的にユーザに提供される、あるいは、任意の場所から、例えば、インターネット経由で取得できる、としてもよい。この場合、ユーザが価格情報を情報収集装置に送信しようとしたときに、例えば、ルート履歴から店舗付近を通ったことが確認できたときのみ、情報送信ができるようにすればよい。
【００６４】
また、情報記録手段には、店舗情報と価格情報を記録するとしたが、これに限られたものではない。付加価値情報を送信する際に、ユーザ情報を情報記録手段に記録しておいてもよい。このとき、そのユーザにどの店舗の付加価値情報を送信したかを記録しておくことで、重複して同じ付加価値情報を同じユーザに送信することを防ぐことができる。
【００６５】
また、情報記録手段に記録するための同店舗で同じ価格情報の数は３個としたが、これに限られたものではない。任意の数を設定すればよい。また、店舗の立地条件などによりその値を個別に設定してもよい。
【００６６】
また、不正な情報であると判断された場合に受信情報を破棄するとしたが、このときにユーザにその旨を通知するとしてもよい。この通知より、ユーザが意図しない（例えば、システムの不具合など）で不正な情報を送信した場合などに、ユーザは情報を再送することで付加価値情報を得ることができる。
【００６７】
また、受信情報リストに含まれる項目は一例であり、他の情報を含んでもよく、あるいは、一部の情報が含まれていなくてもよい。また、有効期限を受信日時から、例えば、１日として、古い情報を自動的に削除するなどしてもよい。こうすることにより、リストのサイズが大きくなることを防ぐことができる。
【産業上の利用可能性】
【００６８】
本発明にかかる情報収集システムは、正当な情報を提供したユーザにだけ付加価値情報を提供することができるという効果を有し、複数ユーザから同じ情報を提供してもらうことで個々の情報の正当性を判断する情報収集システム等として有用である。
【図面の簡単な説明】
【００６９】
【図１】本発明の実施の形態における情報収集システムのシステム構成図
【図２】本発明の実施の形態における価格情報送信処理の動作説明のためのフロー図
【図３】本発明の実施の形態における価格情報記録処理の動作説明のためのフロー図
【図４】本発明の実施の形態における受信情報リストの一例を示す図
【符号の説明】
【００７０】
１０１    情報収集装置
１０２ａ、１０２ｂ、１０２ｃ    情報提供装置
１０３    店舗
１０４    第一通信手段
１０５    制御手段
１０６    メモリ
１０７    情報記録手段
１０８    第二通信手段
１０９    通信制御手段
１１０    記録手段
１１１    操作手段
４０１    受信情報リスト
【図１】
2007087277.tif 000003
【図２】
2007087277.tif 000004
【図３】
2007087277.tif 000005
【図４】
2007087277.tif 000006